(57)【要約】【課題】  携帯通信端末に非接触ＩＣカード機能に加え、メールの予約機能と、コンサート会場のゲートや駅の改札を通過するだけで、連絡を取りたい相手に自動的にメールを送信することと、連絡を取りたい相手に自動的に送信するメールの本文にゲートや改札を通過した際の時間を自動的に付加することを可能とする。【解決手段】  非接触ＩＣカードと通信によって情報を送受信できるＩＣカード間通信手段と、非接触ＩＣカードにおいて出発地や目的地のゲートや改札の通過を検知する通過検知手段と、その検知に伴い送信予約されているメールの送信を制御するメール送信制御手段とを携帯通信端末に備える。【選択図】  図２
2005292940.tif 000002
【特許請求の範囲】
【請求項１】
非接触ＩＣカードと通信によって情報を送受信できるＩＣカード間通信手段と、非接触ＩＣカードにおいて出発地や目的地のゲートや改札の通過を検知する通過検知手段と、その検知に伴い送信予約されているメールの送信を制御するメール送信制御手段とを有することを特徴とする携帯通信端末。
【請求項２】
メール送信制御手段は、非接触ＩＣカードにおいて検知された出発地や目的地のゲートや改札の通過と、その検知した時間を記憶し、送信するメール本文に前記記憶したゲートや改札を通過した時間をメール本文に自動的に付加することを特徴とする請求項１に記載の携帯通信端末。
【請求項３】
メール送信制御手段は、メール送信前に圏内や圏外かの判定を行い、圏外の場合、圏内エリアに移動するまでメールの送信を保留することを特徴とする請求項１又は２に記載の携帯通信端末。
【請求項４】
メール送信制御手段は、利用者がメール送信以外の機能を利用中であっても、マルチタスク機能により保留されているメールの送信を自動的に行うことを特徴とする請求項３に記載の携帯通信端末。
【請求項５】
非接触ＩＣカードを備えた携帯通信端末が通信によって非接触ＩＣカードと情報を送受信できる機能を持ち、非接触ＩＣカードにおいて出発地や目的地のゲートや改札の通過を検知して、送信予約されているメールの送信を携帯通信端末で制御することを特徴とするメール送信方式。
【請求項６】
携帯通信端末において、非接触ＩＣカードで検知された出発地や目的地のゲートや改札の通過と、その検知した時間を記憶し、送信するメール本文に前記記憶したゲートや改札を通過した時間をメール本文に自動的に付加して送信することを特徴とする請求項５に記載のメール送信方式。
【請求項７】
携帯通信端末において、メール送信前に圏内や圏外かの判定を行い、圏外の場合、圏内エリアに移動するまでメールの送信を保留することを特徴とする請求項５又は６に記載のメール送信方式。
【請求項８】
携帯通信端末において、利用者がメール送信以外の機能を利用中であっても、マルチタスク機能により保留されているメールの送信を自動的に行うことを特徴とする請求項７に記載のメール送信方式。
【発明の詳細な説明】
【技術分野】
【０００１】
本発明は、非接触カード機能内蔵型携帯通信端末とそれを用いたメール送信方式に関する。
【背景技術】
【０００２】
携帯電話機等の携帯通信端末の普及と共に、駅・劇場など待ち合わせの連絡や、帰宅の連絡に携帯電話機のメール機能を利用する人が増加している。また、携帯電話機の携帯性に着目し、非接触ＩＣカード機能を搭載させ、劇場の入退場や駅の改札の通過を携帯電話機で行うサ−ビスも検討されている。
【０００３】
例えば、特許文献１（特開２００２−２９８１６９号公報）には、非接触ＩＣカードを内蔵した携帯情報端末であって、自動改札機通過時に、非接触ＩＣカードを介して当該自動改札機から入場駅の情報を受信するとともに、現在時刻を確認し、自動改札機通過の前または後に目的地の情報の入力を利用者から受け、入場駅情報、入場時刻に応じた時刻情報および目的地情報を経路検索サーバに送信し、この経路検索サーバから経路検索結果を受信し、表示する経路案内システムが開示されている。
【０００４】
しかし、携帯電話機の非接触ＩＣカード機能の搭載は、単にチケットの代用や、定期券の代用としてのゲート・改札の通過や、改札通過時の経路案内と言った目的が主であり、メールによる駅・劇場などでの待ち合わせの連絡や、帰宅する際の連絡といった機能との連携はない。
【特許文献１】特開２００２−２９８１６９号公報
【発明の開示】
【発明が解決しようとする課題】
【０００５】
本発明では、これらの問題を解決するために、携帯通信端末に非接触ＩＣカード機能に加え、メールの予約機能と、コンサート会場のゲートや駅の改札を通過するだけで、連絡を取りたい相手に自動的にメールを送信することと、連絡を取りたい相手に自動的に送信するメールの本文にゲートや改札を通過した際の時間を自動的に付加することを可能とすることを第１の目的とする。
【０００６】
また、駅の改札など建物内にゲートや改札があり、電波状況も圏外となりやす場所でのメール送信においても、送信前に圏外かの判定を行い、圏外の場合は、圏内エリアに移動するまでメールの送信を保留し、利用者が他の機能を利用中であってもマルチタスク機能により未送信となったメールを、マルチタスク機能により自動的送信することで、利用者がメール送信以外の機能を利用中であってもメール送信を可能とすることを第２の目的とする。
【課題を解決するための手段】
【０００７】
第１の目的を達成するため、本発明による携帯通信端末は、非接触ＩＣカードと通信によって情報を送受信できるＩＣカード間通信手段と、非接触ＩＣカードにおいて出発地や目的地のゲートや改札の通過を検知する通過検知手段と、その検知に伴い送信予約されているメールの送信を制御するメール送信制御手段とを有することを特徴とする。
【０００８】
第２の目的も達成するため、メール送信制御手段は、非接触ＩＣカードにおいて検知された出発地や目的地のゲートや改札の通過と、その検知した時間を記憶し、送信するメール本文に記憶したゲートや改札を通過した時間をメール本文に自動的に付加する。
【０００９】
また、メール送信制御手段は、メール送信前に圏内や圏外かの判定を行い、圏外の場合、圏内エリアに移動するまでメールの送信を保留する。更に、メール送信制御手段は、利用者がメール送信以外の機能を利用中であっても、マルチタスク機能により保留されているメールの送信を自動的に行う。
【００１０】
第１の目的を達成するため、本発明によるメール送信方式は、非接触ＩＣカードを備えた携帯通信端末が通信によって非接触ＩＣカードと情報を送受信できる機能を持ち、非接触ＩＣカードにおいて出発地や目的地のゲートや改札の通過を検知して、送信予約されているメールの送信を携帯通信端末で制御することを特徴とする。
【００１１】
第２の目的も達成するため、携帯通信端末において、非接触ＩＣカードで検知された出発地や目的地のゲートや改札の通過と、その検知した時間を記憶し、送信するメール本文に前記記憶したゲートや改札を通過した時間をメール本文に自動的に付加して送信する。
【００１２】
また、携帯通信端末において、メール送信前に圏内や圏外かの判定を行い、圏外の場合、圏内エリアに移動するまでメールの送信を保留する。更に、携帯通信端末において、利用者がメール送信以外の機能を利用中であっても、マルチタスク機能により保留されているメールの送信を自動的に行う。
【発明の効果】
【００１３】
本発明によれば、コンサート会場のゲートや駅の改札を通過するだけで、連絡を取りたい相手に自動的にメールを送信することができ、コンサート会場のゲートや駅の改札通過後にメールを作成するための操作を軽減できる。
更に、連絡を取りたい相手に自動的に送信するメールの本文にゲートや改札を通過した際の時間を自動的に付加するため、ゲートや改札通過前に時計を確認し、メールの本文に時間を記載する操作も削減できる。
【００１４】
また、駅の改札など建物内にゲートや改札があり、電波状況も圏外となりやす場所でのメール送信においては、送信前に圏外かの判定を行い、圏外の場合は、圏内エリアに移動するまでメールの送信を保留し、利用者が他の機能を利用中であってもマルチタスク機能により未送信となったメールを自動的に送信する機能を有することで、未送信メールの確認や、利用者自身による再送信といった操作を軽減することができる。更に、マルチタスク機能を利用して送信することで、利用者がメール送信以外の機能を利用中であっても、メールの送信を行うことができる。
【発明を実施するための最良の形態】
【００１５】
次に、本発明の実施例を図面に基づいて詳細に説明する。
【実施例１】
【００１６】
図１は、本発明による携帯通信端末として携帯電話機に適用した場合の一構成例を示す。この携帯電話機は、入力等の端末操作をする操作部１１、必要な情報を表示する表示部１２、音声や発光やバイブレータ等による報知をする報知部１３、それら各部の動作を制御する制御部１４、携帯電話機に着脱自在に内蔵又は外付けされる非接触型ＩＣカード１５、無線通信の送受信を行う送受信部１６、当該携帯電話機の動作に必要なプログラムや設定を保持するメモリ１７等からなる。
【００１７】
図２は、本携帯電話機におけるソフトウェアの概要をブロック図にして示している。
図２を参照すると、本実施例は、非接触ＩＣカード１５を制御して該非接触ＩＣカード１５内のチケット／定期の区間情報２２のサーバーへの送信とサーバーから送付されてくる入退場許可情報の受信を行う通信処理機能部２１、非接触カードＩＣ読み取り装置を介してサーバーから送付される入退場情報が正常か否かを解析する解析処理機能部２３、予約されている送信メールがあるかの判別と、ゲート／駅の改札通過時に送信するメールを抽出する抽出処理機能部２４、抽出した予約メールを送信するためのスケジューリング処理機能部２５、メールが送信可能な状況かの判別と、圏外の場合、メール送信処理そのものを一時保留する送信処理制御機能部２６、メール送信処理機能部２７、無線通信の制御を行う無線通信処理機能部２８からなる。
【００１８】
本発明における、非接触型ＩＣカード１５を利用した携帯電話機での送信予約されているメールの送信動作について、図３を参照して説明する。
【００１９】
携帯電話機に内蔵した非接触型ＩＣカード１５を利用して携帯電話機で送信予約されているメールを送信するという、一連のユーザー動作としては、非接触型ＩＣカード１５を内蔵した携帯電話機を図示せぬ非接触ＩＣカード読み取り装置にかざし（ステップ３３）、非接触ＩＣカード読み取り装置からの入退場／改札通過許可の信号を非接触ＩＣカード１５で一度受領し（ステップ３４）、その情報を携帯電話機内に読み込み（ステップ３４）、携帯電話機内に送信予約されているメールを自動で送信する。
【００２０】
非接触ＩＣカード読み取り装置に、携帯電話機内の非接触ＩＣカード１５が、かざされた時点で、非接触ＩＣカード読み取り装置と携帯電話機内の非接触ＩＣカード１５との間では、ゲート／改札の入退場／通過に必要なチケット情報／定期の区間情報の通信が行われる（ステップ３１）。
【００２１】
携帯電話機内の非接触ＩＣカード１５から送信される情報をもとに、図示せぬサーバーにてこのゲート／改札の入退場／通過許可の判断を行い、その結果を非接触ＩＣカード読み取り装置から携帯電話機内の非接触ＩＣカード１５に送信する（ステップ３２）。
【００２２】
携帯電話機では、ゲート／改札の入退場／通過許可情報を携帯電話機内の非接触ＩＣカード１５より受信し（ステップ３４）、入退場／通過の時刻を取得する（ステップ３５）。取得した時刻は、送信予約されているメールの本文に記載され（ステップ３６）、送信される（ステップ３７）。
【００２３】
図４はメール作成と送信予約処理のフロー、図５は送信予約メールの管理テーブル構造、図６はメール予約時の処理、図７はゲート通過時のメールチェック処理を示している。
【００２４】
図４を参照すると、本実施例では、端末利用者がメールの表題、宛先、本文の入力が完了（ステップ１１１）した時点で、携帯電話機内に保有している定期情報やチケット情報と関連づけるか否かを確認し（ステップ１１２）、関連付けしない場合は、作成したメールをすぐに送信するか否かのチェックを行い（ステップ１１３）、送信する場合はそのまま即送信し（ステップ１１３ａ）、保存する場合は、作成したメールをそのまま携帯電話機内に保存する（ステップ１１３ｂ）。携帯電話機内に保有している定期情報やチケット情報と関連づける場合は、非接触ＩＣカード１５内の情報を取得し（ステップ１１４）、次に関連付けを行う情報が定期情報か否かを確認し（ステップ１１５）、定期情報の場合は、メールを送信する駅の設定を行い（ステップ１１６）、定期情報以外の場合、例えば、チケット情報の場合はそのチケット情報と関連付ける設定を行う（ステップ１１７）。
【００２５】
また、定期情報に関連付ける場合、設定した駅を通過する毎に繰り返し送信するか否かを確認し（ステップ１１８）、繰り返し行う場合は、作成したメールとメールを送信する駅情報および、繰り返し情報を送信予約として管理する（ステップ１１９）。繰り返しを行わない場合は、作成したメールとメールを送信する駅または、チケット情報とともに送信予約として管理する（ステップ１２０）。
【００２６】
送信予約されたメールは、図５に示すようにメール送信予約管理テーブル１２１で管理される。このメール送信予約管理テーブル１２１には、繰り返し送信するかを示す情報の他に、関連する駅または、チケット情報２２や送信予約するメール情報１２３がメモリ上のどこに格納されているかの情報を保持する。
【００２７】
次に、図６を用いて送信メールを予約する際の具体的な動作を説明する。
利用者が携帯電話機に対しメールの表題、宛先、本文を入力する（ステップ１３１）と、携帯電話機では、入力されたメールの表題、宛先、本文を携帯電話機内に設定する（ステップ１３２）。次に、非接触ＩＣカード１５内の情報と関連づけるか否かの確認を行い（ステップ１３３）、関連づける場合、非接触ＩＣカードに対し、そのカード内の情報を要求し（ステップ１３４）、非接触ＩＣカードではこの要求に対し、非接触ＩＣカード内の情報を携帯電話機に通知し（ステップ１３５）、通知された情報を携帯電話機で表示を行い（ステップ１３６）、利用者に確認させる。利用者は表示された情報をもとに駅情報を入力（ステップ１３７）と送信予約登録（ステップ１３９）を行い、携帯電話機では、それぞれの情報に対し、駅情報の設定（ステップ１３８）、送信予約の設定（ステップ１３８ａ）を行う。また、非接触ＩＣカード内の情報と関連づけない場合は、利用者のメール送信の判断（ステップ１３８ｂ）に従い、送信する場合は、メールを携帯電話機からメールサーバーへ送信（ステップ１３８ｃ）し、メールサーバーからの受信完了通知（ステップ１３８ｄ）を携帯電話機で受信後、メール送信完了表示（ステップ１３８ｅ）を行い、利用者側での送信完了を確認する（ステップ１３８ｆ）。
【００２８】
最後に、図７を用いて、ゲート通過時の予約メールの送信処理について説明する。
利用者が自動改札から駅に入場（ステップ１４１）すると、自動改札側で入場信号と駅情報４２を非接触ＩＣカード１５に通知する。非接触ＩＣカードでは、受信した入場信号と駅情報を携帯電話機に送信し（ステップ１４３）、携帯電話機では、非接触ＩＣカードから送信された入場信号と駅情報をもとに予約されている送信メールの有無を確認し（ステップ１４４）、送信予約メールがある場合は、更に予約メールの駅情報と非接触ＩＣカードから送信された駅情報が一致するか否かをチェックする（ステップ１４５）。予約メールの駅情報と非接触ＩＣカード１５から送信された駅情報が一致すると、携帯電話機内の時計から現在時刻を取得する（ステップ１４６）とともに、メール本文に時刻情報を設定し（ステップ１４７）、予約メールのメールサーバーへの送信（ステップ１４８）までを携帯電話機自身で行う。予約メールをメールサーバーに送信することにより、メールサーバーから送信されてくるメール受信完了通知（ステップ１４９）を携帯電話機で受信する（ステップ１４９ａ）と、携帯電話機にてメール送信完了表示（ステップ１４９ｂ）を行い、利用者がこの表示を確認する（ステップ１４９ｃ）ことで、一連の処理が完了する。
【実施例２】
【００２９】
本発明は、サーバーを利用した駅の改札サービスへも応用できる。図８および図９をもとにその例を説明する。
携帯電話機を使用して、駅の改札を通過する際、携帯電話機に内蔵した非接触型ＩＣカード１５内にある定期情報をサーバーに送信する（ステップ１５１）。サーバー側では、携帯電話機から送られる定期情報を非接触ＩＣカード読み取り装置と通信処理機能部６１より取得する。取得した定期情報は、定期情報の解析と定期情報を受信した時刻を取得する時刻情報取得機能部６２に送られ、ここでは、携帯電話機から受信した定期の情報の解析と定期情報を受信した時刻より、データベースシステムの検索を行う。定期情報の解析結果は、データベース内の個人情報データ６３と定期の駅区間や有効期限データ６４と比較される。また、定期情報を受信した時刻情報をもとに、データベース内の列車の時刻情報データ６５を検索し、定期情報を受信した時間に最も近い列車の発車時間や到着駅に到着する時間を携帯電話機内の非接触ＩＣカード１５に送信する。
【００３０】
図９に示すサーバーでのチェックが完了し、定期情報が正しければ入鉄許可とともに、入鉄時刻から最も近い時間に発車する列車の時刻と到着駅に列車が到着する時刻情報を携帯電話機内の非接触ＩＣカードに送信する（ステップ１５２）。携帯電話機では、携帯電話機内の非接触ＩＣカードで受け取った入鉄許可と列車の時刻情報を取得する（ステップ１５４、１５６）とともに、入場や退場した際の時刻を取得し（ステップ１５５）、取得した改札通過時刻と、列車の発車や到着時刻を自動送信するメールの本文に自動的に追記し（ステップ１５７）、メールの送信を行う（ステップ１５８）。
【００３１】
これにより、発駅に到着した時刻、乗車予定の列車の時刻、目的地への到着時刻を連絡したい相手に通知することができる。
【図面の簡単な説明】
【００３２】
【図１】本発明による携帯通信端末として携帯電話機に適用した場合の一構成例を示すブロック図である。
【図２】この携帯電話機におけるソフトウェアの概要を示すブロック図である。
【図３】この携帯電話機での送信予約されているメール送信動作の概要を示すフローチャートである。
【図４】メール作成と送信予約処理の詳細を示すフローチャートである。
【図５】送信予約メール管理テーブルの構造図である。
【図６】メール予約時の処理を示すフローチャートである。
【図７】ゲート通過時の予約メールのチェックと送信処理を示すフローチャートである。
【図８】サーバーを利用した駅の改札サービスへの実施例の動作概要を示すフローチャートである。
【図９】同実施例におけるサーバー側の仕組みを示すブロック図である。
【符号の説明】
【００３３】
１１  操作部
１２  表示部
１３  報知部
１４  制御部
１５  非接触型ＩＣカード
１６  送受信部
１７  メモリ
２１  通信処理機能部
２２  チケット／定期の区間情報
２３  解析処理機能部
２４  抽出処理機能部
２５  スケジューリング処理機能部
２６  送信処理制御機能部
２７  メール送信処理機能部
２８  無線通信処理機能部
【図１】
2005292940.tif 000003
【図２】
2005292940.tif 000004
【図３】
2005292940.tif 000005
【図４】
2005292940.tif 000006
【図５】
2005292940.tif 000007
【図６】
2005292940.tif 000008
【図７】
2005292940.tif 000009
【図８】
2005292940.tif 000010
【図９】
2005292940.tif 000011